(57)【要約】【課題】別体のラッチ部を設けずソケット部だけの構成で且つ部品を斜め上から挿入しながら下方に押し込む挿入方法で、部品がソケット部から外れることのない部品支持装置を提供する。【解決手段】モジュール１１は部品支持装置１０の開口部１２から部品支持穴１３内に挿入され、更に部品支持穴１３の最奥の窪み１４に挿入側端部１１−１が嵌入するまで押し込まれる。部品支持穴１３へモジュール１１を嵌め込み後も部品支持穴１３の内壁上下面の接点群１６及び１７からモジュール１１に対して加わる常に上方向へ外そうとする力の作用は窪み１４により抑止され、部品支持装置１０のみでモジュール１１が保持される。モジュール１１の装着後は本体装置の筐体１９の下面に設けられた突設部２１が筐体１９と共に矢印ｆで示すように降下し、モジュール１１の挿入側とは反対側端面１１−２に当接して、モジュール１１が窪み１４から水平方向に外れることを抑止する。【選択図】図１
2009176607.tif 000002
【特許請求の範囲】
【請求項１】
部品を挿入可能な開口部を有する部品支持穴と、
前記部品支持穴内に設けられ、前記開口部から前記部品支持穴内に挿入される前記部品の一部と嵌合可能な窪みと、
を備えることを特徴とする部品支持装置。
【請求項２】
前記窪みは、前記部品を前記部品支持穴の最も奥まで挿入したときに前記部品の挿入側端部に嵌合する位置に設けられている、ことを特徴とする請求項１記載の部品支持装置。
【請求項３】
前記部品が挿入される前記部品支持穴は直方体状あるいは立方体状である、ことを特徴とする請求項１ないし２記載の部品支持装置。
【請求項４】
前記部品は板状の部品であり、前記部品支持穴内に挿入される挿入側端部に複数の接点を備え、
前記部品支持穴は、前記部品の前記挿入側端部に備えられた前記複数の接点にそれぞれ当接する複数の接点を備えている、
ことを特徴とする請求項１ないし３のいずれかに記載の部品支持装置。
【請求項５】
前記部品の前記部品支持穴からの抜け出しを防止する抜出し防止部材を更に備える、ことを特徴とする請求項１ないし４のいずれかに記載の部品支持装置。
【発明の詳細な説明】
【技術分野】
【０００１】
本発明は、部品を支持する部品支持装置に関する。
【背景技術】
【０００２】
一般に、コンピュータは、拡張モジュールを装着可能な構成となっているものが多い。大型のコンピュータに限らず、ノート型のパーソナルコンピュータでも、例えば、無線通信のためのカード型の拡張モジュールなどがある。
【０００３】
図４(a),(b),(c) は、そのようなカード型拡張モジュールを、ノート型パーソナルコンピュータのメインボードに装着する際の、装着手順を示す図である。
尚、図４(a),(b),(c) に示すメインボード１には、プリント配線や他の電子部品の図示を省略している。
【０００４】
図４(a) に示すように、メインボード１には、カード型拡張モジュールを装着するためのソケット部２とラッチ部３とが１対となって装着部４を形成している。
この装着部４にカード型拡張モジュールを装着するには、図４(b) に示すように、カード型拡張モジュール５を斜めにして手に持って（手の図示は省略）、カード型拡張モジュール５の挿入側端部をソケット部２の挿入部に挿入する。
【０００５】
ソケット部２には、図４(a) に示すように、メインボード１のプリント配線を介して、カード型拡張モジュール５に備えられた多数の接点を、メインボード１に搭載されている他の電子部品に接続するための多数の接点８及び９が、挿入部の上下にそれぞれ設けられている。これらの接点８及び９は導体バネ部材からなる。
【０００６】
図４(b) のように、カード型拡張モジュール５を矢印ａで示すように斜めにしてソケット部２の挿入部に挿入して嵌め込みながら、そのカード型拡張モジュール５を矢印ｂで示すように下方に押し込む。
【０００７】
すると、図４(c) に示すように、カード型拡張モジュール５の挿入側端部とは反対側の端部に設けられている固定部６の係合部に、ラッチ部３の両側端部にそれぞれ設けられているラッチ７ａ及び７ｂが係合する。これにより、カード型拡張モジュール５が、装着部４に固定される。
【０００８】
ソケット部２の挿入部の上下に配設されている多数の接点８及び９は、図４(b) に示すように拡張モジュール５を最初は斜めにして挿入部に挿入する都合上、図４(a) に示すように、拡張モジュール５の挿入側端部の下面の接点に接触する下部の接点９よりも、拡張モジュール５の挿入側端部の上面の接点に接触する上部の接点８の方がやや後方に配置されている。
【０００９】
これらの接点８及び９は、上述したように導体バネ部材であるから拡張モジュール５の接点に接触して、その接触部を押圧する付勢力を有している。これにより、接点と接点の接触、すなわち、電気的接続が確実に維持されるようになっている。
【００１０】
反面、挿入部の後方に下がって配置されている上側の接点９が拡張モジュール５の挿入端部を下方に付勢し、それよりも挿入部の前方側に配置されている接点９が拡張モジュール５の挿入端部を上方に付勢するので、ソケット部２に挿入された拡張モジュール５には常に斜め上に持ち上げる力が作用している。
【００１１】
このままでは拡張モジュール５が斜め上に持ち上がってソケット部２から外れてしまうので、これ現象を抑えるため、上記のように拡張モジュール５の挿入部とは反対側端部をラッチ部３で押さえ込むようにしている。
【００１２】
ところで、上記のように、カード型拡張モジュールの装着部４が、モジュール接点接続部（ソケット部２）とモジュール固定部（ラッチ部３）とに分かれていると、これらソケット部２とラッチ部３が、それぞれ個別の部品であるため、メインボード１への実装時には、それぞれ別々に半田付けすることになる。
【００１３】
このように別々に半田付けすることによって、ソケット部２とラッチ部３のメインボード１へのＸ、Ｙ、及びθ方向の実装ズレは、それぞれ相互の関連性を持たずに、ばらばらに発生することになる。
【００１４】
このような、ばらばらの実装ズレによって、拡張モジュール５をラッチ部３に固定する際の嵌め込みが固い、あるいは衝撃等によって装着部４から拡張モジュール５が外れ易いなどの問題が発生する。
【００１５】
また、上記のようなソケット部２とラッチ部３のばらばらな実装ズレを防止するためにソケット部２とラッチ部３を一体とした構造にすると、ソケット部２とラッチ部３の相互の実装ズレは発生しないが、部品としての１個あたりの寸法が大きくなり、メインボード１上で大きな占有面積を必要とすることになる。
【００１６】
これでは、メインボード１の大型化を招き、さらには、そのようなメインボード１を装着したパーソナルコンピュータ等の本体装置の大型化の要因となるので好ましくない。
元々、ラッチが必要となるのは、拡張モジュール５を装着部に嵌め込む際に、拡張モジュール５を斜め上方からソケット部２に挿入し、更に下に押し込んで、拡張モジュール５の上下面の接点とソケット部２の内側上下面の接点を接触させる構造によっている。
【００１７】
すなわち、拡張モジュール５の斜め上方からの挿入に対応して、ソケット部２の内側上下面の接点の配置が、前後にずらした配置となっているため、拡張モジュール５の嵌め込み後も、ソケット部２の内側上下面の接点から拡張モジュール５に対して、拡張モジュール５を常に上方向へ外そうとする力が作用する。
【００１８】
拡張モジュール５の斜め上方からの挿入方法に代えて、ソケット部２に対して水平方向から挿入するようにすると、ソケット部２の内側上下面の接点を前後にずらして配置する必要が無くなり、上下正対して配置でき、したがって拡張モジュール５を常に上方向へ外そうとする力は発生しなくなる。
【００１９】
しかし、これでは、装着部に対して拡張モジュールを水平方向に挿抜するための余分な空間がメインボード上に必要となり、この場合もソケット部のための大きな占有面積がメインボード上に必要になるという問題が発生する。
【発明の開示】
【発明が解決しようとする課題】
【００２０】
以下の実施の形態における課題は、ソケット部だけでの配置で且つソケット部に拡張モジュール等の部品を斜め上から挿入しながら下方に押し込む挿入方法で、部品がソケット部から外れることのない部品支持装置を提供することである。
【課題を解決するための手段】
【００２１】
以下の実施例における部品支持装置は、部品を挿入可能な開口部を有する部品支持穴と、この部品支持穴内に設けられ、開口部から部品支持穴内に挿入される部品の一部と嵌合可能な窪みとを備えて構成される。
【００２２】
この構成により、ソケット部だけでの配置で且つソケット部に斜め上から挿入しながら下方に押し込まれた部品の挿入側端部が窪みと係合してその窪みにより保持される。これにより部品を常に上方向へ外そうとするソケット部の内側上下面の接点から加わる力の作用が及ばなくなる。
【発明の効果】
【００２３】
ソケット部だけでの配置で且つソケット部に部品を斜め上から挿入しながら下方に押し込む装着方法で、部品を常に上方向へ外そうとする力の作用が及ばなくなるのでソケット部と別体のラッチ部が無用となり、したがって、部品装着部の占有面積を小さくすることができ、これにより、例えばパーソナルコンピュータ等の本体装置の小型化に有効な部品支持装置を提供することが可能となる。
【発明を実施するための最良の形態】
【００２４】
以下、本発明の実施の形態を図面に基づいて詳細に説明する。
【実施例１】
【００２５】
図１(a),(b) は、実施例１における部品支持装置の構成と拡張モジュール装着時の動作状態を示す側断面図であり、同図(c) は拡張モジュール装着後のストッパの配置を示す図である。
【００２６】
図１(a) に示すように、部品支持装置１０は、部品としての拡張モジュール（以下、単にモジュールという）１１を挿入可能な開口部１２を有する部品支持穴１３と、その部品支持穴１３内に設けられ、開口部１２から部品支持穴１３内に挿入されるモジュール１１の一部と嵌合可能な窪み１４と、を備えている。窪み１４の開口高さは、モジュール１１の板厚よりも若干大きくなるように形成されている。
【００２７】
モジュール１１が挿入される部品支持穴１３は、基本的に直方体状あるいは立方体状に形成されている。そして、部品支持穴１３の内壁上面には、モジュール１１を矢印ｃで示すように斜め上から差し込み易いように前上がりの斜面１５が形成されている。
【００２８】
上記の窪み１４は、図１(b) に示すように、モジュール１１を部品支持穴１３の最も奥まで挿入したときに、モジュール１１の挿入側端部１１−１に嵌合する位置に設けられている。
【００２９】
このモジュール１１は、板状の部品であり、部品支持穴１３内に挿入される挿入側端部１１−１の上面及び下面には、特には図示しないが複数の接点群を備えている。
他方の部品支持穴１３は、モジュール１１の挿入側端部１１−１に備えられた上記複数の接点にそれぞれ当接する複数の接点群１６及び１７を備えている。この部品支持穴１３を備えた部品支持装置１０は、固定脚１８によって不図示のメインボードに固定されている。
【００３０】
また、上記の部品支持穴１３の接点１６及び１７は、モジュール１１の部品支持穴１３への斜め上方からの挿入に対応して、部品支持穴１３における内壁上下面の接点群の配置が、前後にずらした配置となっている。
【００３１】
すなわち、上面の接点群１６は、部品支持穴１３のやや奥側に配置され、これらよりも
開口部側に下面の接点群１７が配置されている。したがって、図１(b) に示すように部品支持穴１３へのモジュール１１の嵌め込み後も、部品支持穴１３の内壁上下面の接点群１６及び１７からモジュール１１に対して、モジュール１１を常に上方向へ外そうとする力が作用する。
【００３２】
しかし、本例では、図１(b) に示すように、モジュール１１の挿入側端部１１−１が部品支持穴１３奥の窪み１４に嵌入しているため、上記のモジュール１１を常に上方向へ外そうとする力の作用は、窪み１４により抑止されるので、発現しない。
【００３３】
このように本例の部品支持装置１０の構造においては、モジュール１１をソケット部である部品支持装置１０単体で支えることが可能となる。
ただし、このままでは、モジュール１１が窪み１４から水平方向に外れて、部品支持穴１３から抜け出る可能性が残されている。したがって、本例では、そのような抜け出しを防止する抜出し防止部材を備える。
【００３４】
すなわち、モジュール１１の着脱では、このモジュール１１が装着されるパーソナルコンピュータ等の本体装置の筐体の開閉が必ず行われる。本例では、図１(c) に示すように、上下に開閉する本体装置の筐体１９の下面に、突設部２１を配設する。
【００３５】
上述したように、部品支持装置１０の部品支持穴１３にモジュール１１を装着した後、本体装置の筐体１９を閉成することにより筐体１９の下面に設けられた突設部２１が筐体１９と共に矢印ｆで示すように降下する。そして突設部２１の側面がモジュール１１の挿入側とは反対側端面１１−２に当接して、モジュール１１が窪み１４から水平方向に外れることを抑止する。
【００３６】
このように本体装置の筐体１９の下面に設けられた抜出し防止部材は、部品支持穴１３にモジュール１１を装着する際には、本体装置の筐体１９と共に装着部から離れており、モジュール１１の装着後に、抜出し防止位置に降下してくるので、不図示のメインボード上の部品搭載面積を損なうこともない。
【００３７】
このように、本例によれば、ソケットの役割を有する部品支持装置１０のみをメインボード上に配設し、本体装置の筐体１９に突設部２１を配設するのみで、部品支持装置１０から独立した部材であるラッチ部を設ける必要が無くなる。
【００３８】
これにより、モジュール１１の装着部のコストダウンが実現し、装着部が２個の別部材に別れた場合に生じる実装ズレによる装着の不具合が解消される。
また、より狭い装着部の配置面積の中で、モジュール１１を装着部に斜め上から挿入しながら下方に押し込む従来と同様の装着方法で、モジュール１１を部品支持装置１０単体で固定することができる。
【実施例２】
【００３９】
図２は、実施例２における部品支持装置の構成を示す側断面図である。尚、図２には、図１(a),(b) と同一の構成部分には、図１(a),(b) と同一の番号を付与している示している。
【００４０】
図２に示すように、本例の部品支持装置２２は、部品支持穴１３奥の窪み１４に、この窪み１４に挿入されるモジュール１１の挿入側端部１１−１を上下から挟持して位置を固定する抜出し防止部材としてのラッチ対２３が配設されている。
【００４１】
特には図示しないが、モジュール１１の挿入側端部１１−１の上下面には、上記のラッ
チ対２３に対応する位置に、ラッチ係合部が形成されている。図２に示す斜め挿入位置から、モジュール１１を更に部品支持穴１３奥に押し込んで、挿入側端部１１−１を窪み１４に挿入すると、ラッチ対２３がモジュール１１のラッチ係合部に係合して、モジュール１１の部品支持穴１３からの抜け出しを防止する。
【００４２】
尚、本例のラッチ対２３は、ラッチ係合部に係合する面には、装着方向にも抜脱方向にも傾斜面が形成されているので、モジュール１１を部品支持穴１３から抜脱するときは単に窪み１４の奥行き分の長さだけモジュール１１を水平方向に引くだけで、容易に抜脱することができる。
【００４３】
このように、本例によおいても、ソケットの役割を有する部品支持装置２２のみをメインボード上に配設するのみで、部品支持装置２２ら独立した別体のラッチ部を設ける必要が無く、モジュール１１をソケット部である部品支持装置２２単体で支えることが可能となる。
【００４４】
これにより、モジュール１１の装着部のコストダウンが実現し、装着部が２個の別部材に別れた場合に生じる実装ズレによる装着の不具合が解消される。
また、より狭い装着部の配置面積の中で、モジュール１１を装着部に斜め上から挿入しながら下方に押し込む従来と同様の装着方法で、モジュール１１を部品支持装置２２に固定することができる。
【実施例３】
【００４５】
図３は、実施例３における部品支持装置の構成を示す平面図である。尚、図３には、図１(a),(b) と同一の構成部分には、図１(a),(b) と同一の番号を付与している示している。また、本例の部品支持装置の側断面の構成は図１(a),(b) の場合と同様である。
【００４６】
図３に示すように、本例の部品支持装置２５は、部品支持穴１３の両側からそれぞれ矢印ｇで示すモジュール１１の挿入向きとは逆向きに延在するラッチ２６ａ、２６ｂが設けられている。尚、このラッチ２６ａ、２６ｂは、手動操作により開閉が可能な構造となっている。
【００４７】
本例の場合、モジュール１１を部品支持穴１３から挿入し、更に図では陰になって見えない窪み１４までモジュール１１を完全に押し込んだとき、上記のラッチ２６ａ及び２６ｂに対応する位置のモジュール１１の両側面に、それぞれラッチ係合部１１−３が形成されている。
【００４８】
モジュール１１を装着するときは、単にモジュール１１を部品支持穴１３の窪み１４まで押し込むだけで、ラッチ２６ａ及び２６ｂがラッチ係合部１１−３に係合して、モジュール１１の部品支持穴１３からの抜け出しを防止する。
【００４９】
モジュール１１を抜脱するときは、ラッチ２６ａ及び２６ｂを手動操作により横方向に開いてラッチ係合部１１−３との係合を解除してからモジュール１１を抜き出すようにする。モジュール１１を抜き出した後で、ラッチ２６ａ及び２６ｂを元の位置に戻しておくようにする。
【００５０】
このように、本例によおいても、ソケットの役割を有する部品支持装置２５のみをメインボード上に配設するのみで、部品支持装置２５ら独立した別体のラッチ部を設ける必要が無く、モジュール１１をソケット部である部品支持装置２５単体で支えることが可能となる。
【００５１】
これにより、モジュール１１の装着部のコストダウンが実現し、装着部が２個の別部材に別れた場合に生じる実装ズレによる装着の不具合が解消される。
また、より狭い装着部の配置面積の中で、モジュール１１を装着部に斜め上から挿入しながら下方に押し込む従来と同様の装着方法で、モジュール１１を部品支持装置２５に固定することができる。
【００５２】
以上の実施例１〜３を含む実施形態に関し、更に以下の付記を開示する。
（付記１）部品を挿入可能な開口部を有する部品支持穴と、前記部品支持穴内に設けられ、前記開口部から前記部品支持穴内に挿入される前記部品の一部と嵌合可能な窪みと、を備えることを特徴とする部品支持装置。
（付記２）前記窪みは、前記部品を前記部品支持穴の最も奥まで挿入したときに前記部品の挿入側端部に嵌合する位置に設けられている、ことを特徴とする付記１記載の部品支持装置。
（付記３）前記部品が挿入される前記部品支持穴は直方体状あるいは立方体状である、ことを特徴とする付記１ないし２記載の部品支持装置。
（付記４）  前記部品は板状の部品であり、前記部品支持穴内に挿入される挿入側端部に複数の接点を備え、前記部品支持穴は、前記部品の前記挿入側端部に備えられた前記複数の接点にそれぞれ当接する複数の接点を備えている、ことを特徴とする付記１ないし３のいずれかに記載の部品支持装置。
（付記５）前記部品の前記部品支持穴からの抜け出しを防止する抜出し防止部材を更に備える、ことを特徴とする付記１ないし４のいずれかに記載の部品支持装置。（５）
（付記６）前記抜出し防止部材は、当該部品指示装置を被覆する覆い部材に設けられ、前記部品が前記部品支持穴に挿入されて装着された後に前記部品の挿入側端面とは反対側の端面に当接する部材である、ことを特徴とする付記５記載の部品支持装置。
（付記７）前記抜出し防止部材は、前記部品支持穴の最奥に形成された窪み内に設けられたラッチである、ことを特徴とする付記５記載の部品支持装置。
（付記８）前記抜出し防止部材は、前記部品支持穴の両側からそれぞれ前記部品の挿入向きとは逆向きに延在して設けられたラッチである、ことを特徴とする付記５記載の部品支持装置。
【図面の簡単な説明】
【００５３】
【図１】(a),(b) は実施例１における部品支持装置の構成と拡張モジュール装着時の動作状態を示す側断面図、(c) は拡張モジュール装着後のストッパの配置を示す図である。
【図２】実施例２における部品支持装置の構成を示す側断面図である。
【図３】実施例３における部品支持装置の構成を示す平面図である。
【図４】(a),(b),(c) は従来のカード型拡張モジュールをノート型パーソナルコンピュータのメインボードに装着する際の装着手順を示す図である。
【符号の説明】
【００５４】
１      メインボード
２      ソケット部
３      ラッチ部
４      装着部
５      拡張モジュール
６      固定部
７ａ、７ｂ      ラッチ
８、９      接点
１０      部品支持装置
１１      モジュール
１１−１      挿入側端部
１１−２      挿入側とは反対側端面
１１−３      ラッチ係合部
１２      開口部
１３      部品支持穴
１４      窪み
１５      斜面
１６、１７      接点群
１８      固定脚
１９      筐体
２１      突設部
２２      部品支持装置
２３      ラッチ対
２５      部品支持装置
２６ａ、２６ｂ      ラッチ
【図１】
2009176607.tif 000003
【図２】
2009176607.tif 000004
【図３】
2009176607.tif 000005
【図４】
2009176607.tif 000006